(57)【特許請求の範囲】
【請求項１】
電池の残量を監視する電池残量監視手段と、
前記電池残量監視手段が監視する前記電池の残量から、前記電池のエネルギーを使い切る電池切れ時刻を予測する電池切れ予測手段と、
前記電池切れ予測手段が予測した前記電池切れ時刻に電源をオフする電源制御手段と、
前記電池切れ予測手段が予測した前記電池切れ時刻前に、前記電源制御手段が電源をオフし、通信不能となることを通知する通信不能通知を特定の第三者に送信する情報発信手段と、
前記電池切れ予測手段が予測した前記電池切れ時刻前に、前記電池の残量が低下した要因と通信再開される通信再開時刻の少なくとも一方が含まれるユーザに関するユーザ情報を収集し解析する情報解析手段と、
を備える通信端末。
【請求項２】
前記電池残量監視手段が監視する前記電池の残量が設定値より少ない場合、所定の機能のみ動作させる機能制限モードに切り替えるモード切替手段をさらに備え、
前記電池切れ予測手段は、前記モード切替手段が切り替えた機能制限モードでの前記電池切れ時刻を予測することを特徴とする請求項１に記載の通信端末。
【請求項３】
前記情報発信手段は、解析した前記ユーザ情報を付加情報として前記通信不能通知に含めて送信することを特徴とする請求項１に記載の通信端末。
【請求項４】
前記情報解析手段が解析する前記ユーザ情報に前記電池切れ時刻前のユーザのユーザ位置が含まれることを特徴とする請求項１から３のいずれかに記載の通信端末。
【請求項５】
前記情報発信手段は、
前記通信不能通知に含める前記付加情報を前記特定の第三者毎に変えて送信することを特徴とする請求項３又は４に記載の通信端末。
【請求項６】
電池の残量を監視する電池残量監視手段と、
前記電池残量監視手段が監視する前記電池の残量をサーバに通知する電池残量通知手段と、
前記電池残量監視手段が監視する前記電池の残量が規定値より低い場合に電源をオフする電源制御手段と、
前記サーバの電池切れ予測手段が予測した前記電池切れ時刻前に、前記電池の残量が低下した要因と通信再開される通信再開時刻の少なくとも一方が含まれるユーザに関するユーザ情報を収集し、前記サーバに通知する情報通知手段と、
を備える通信端末。
【請求項７】
通知された通信端末の電池残量から、前記通信端末の前記電池のエネルギーを使い切る電池切れ時刻を予測する電池切れ予測手段と、
前記電池切れ予測手段が予測した前記電池切れ時刻前に、前記通信端末が電源をオフし、通信不能となることを通知する通信不能通知を特定の第三者に送信する情報発信手段と、
前記電池切れ予測手段が予測した前記電池切れ時刻前に、前記電池の残量が低下した要因と通信再開される通信再開時刻の少なくとも一方が含まれるユーザに関するユーザ情報を前記通信端末から収集し解析する情報解析手段と、
を備えるサーバ。
【請求項８】
サーバと通信する通信端末の電池の残量を監視する電池残量監視手段と、
前記電池残量監視手段が監視する前記電池の残量から、前記電池のエネルギーを使い切る電池切れ時刻を予測する電池切れ予測手段と、
前記電池切れ予測手段が予測した前記電池切れ時刻に前記通信端末の電源をオフする電源制御手段と、
前記電池切れ予測手段が予測した前記電池切れ時刻前に、前記電源制御手段が前記通信端末の電源をオフし、通信不能となることを通知する通信不能通知を特定の第三者に送信する情報発信手段と、
前記電池切れ予測手段が予測した前記電池切れ時刻前に、前記電池の残量が低下した要因と通信再開される通信再開時刻の少なくとも一方が含まれるユーザに関するユーザ情報を収集し解析する情報解析手段と、
を備える通信システム。
【請求項９】
電池の残量を監視する電池残量監視手順と、
前記電池残量監視手順で監視する前記電池の残量から、前記電池のエネルギーを使い切る電池切れ時刻を予測する電池切れ予測手順と、
前記電池切れ予測手順で予測した前記電池切れ時刻に電源をオフする電源制御手順と、
前記電池切れ予測手順で予測した前記電池切れ時刻前に、前記電源制御手順で電源をオフし、通信不能となることを通知する通信不能通知を特定の第三者に送信する情報発信手順と、
前記電池切れ予測手順が予測した前記電池切れ時刻前に、前記電池の残量が低下した要因と通信再開される通信再開時刻の少なくとも一方が含まれるユーザに関するユーザ情報を収集し解析する情報解析手順と、
を行う通信端末の動作方法。
【請求項１０】
電池の残量を監視する電池残量監視手順と、
前記電池残量監視手順で監視する前記電池の残量をサーバに通知する電池残量通知手順と、
前記電池残量監視手順が監視する前記電池の残量が規定値より低い場合に電源をオフする電源制御手順と、
前記サーバの電池切れ予測手順が予測した前記電池切れ時刻前に、前記電池の残量が低下した要因と通信再開される通信再開時刻の少なくとも一方が含まれるユーザに関するユーザ情報を収集し、前記サーバに通知する情報通知手順と、
を行う通信端末の動作方法。
【請求項１１】
通知された通信端末の電池残量から、前記通信端末の前記電池のエネルギーを使い切る電池切れ時刻を予測する電池切れ予測手順と、
前記電池切れ予測手順で予測した前記電池切れ時刻前に、前記通信端末が電源をオフし、通信不能となることを通知する通信不能通知を特定の第三者に送信する情報発信手順と、
前記電池切れ予測手順が予測した前記電池切れ時刻前に、前記電池の残量が低下した要因と通信再開される通信再開時刻の少なくとも一方が含まれるユーザに関するユーザ情報を前記通信端末から収集し解析する情報解析手順と、
を行うサーバの動作方法。
【請求項１２】
サーバと通信する通信端末の電池の残量を監視する電池残量監視手順と、
前記電池残量監視手順で監視する前記電池の残量から、前記電池のエネルギーを使い切る電池切れ時刻を予測する電池切れ予測手順と、
前記電池切れ予測手順で予測した前記電池切れ時刻に前記通信端末の電源をオフする電源制御手順と、
前記電池切れ予測手順で予測した前記電池切れ時刻前に、前記電源制御手順で前記通信端末の電源をオフし、通信不能となることを通知する通信不能通知を特定の第三者に送信する情報発信手順と、
前記電池切れ予測手順が予測した前記電池切れ時刻前に、前記電池の残量が低下した要因と通信再開される通信再開時刻の少なくとも一方が含まれるユーザに関するユーザ情報を収集し解析する情報解析手順と、
を行う通信システムの動作方法。
【請求項１３】
電池の残量を監視する電池残量監視手順と、
前記電池残量監視手順で監視する前記電池の残量から、前記電池のエネルギーを使い切る電池切れ時刻を予測する電池切れ予測手順と、
前記電池切れ予測手順で予測した前記電池切れ時刻に電源をオフする電源制御手順と、
前記電池切れ予測手順で予測した前記電池切れ時刻前に、前記電源制御手順で電源をオフし、通信不能となることを通知する通信不能通知を特定の第三者に送信する情報発信手順と、
前記電池切れ予測手順で予測した前記電池切れ時刻前に、前記電池の残量が低下した要因と通信再開される通信再開時刻の少なくとも一方が含まれるユーザに関するユーザ情報を収集し解析する情報解析手順と、
を通信端末に実行させるための通信端末の動作プログラム。
【請求項１４】
電池の残量を監視する電池残量監視手順と、
前記電池残量監視手順で監視する前記電池の残量をサーバに通知する電池残量通知手順と、
前記電池残量監視手順が監視する前記電池の残量が規定値より低い場合に電源をオフする電源制御手順と、
前記サーバの電池切れ予測手順で予測した前記電池切れ時刻前に、前記電池の残量が低下した要因と通信再開される通信再開時刻の少なくとも一方が含まれるユーザに関するユーザ情報を収集し、前記サーバに通知する情報通知手順と、
を通信端末に実行させる通信端末の動作プログラム。
【請求項１５】
通知された通信端末の電池残量から、前記通信端末の前記電池のエネルギーを使い切る電池切れ時刻を予測する電池切れ予測手順と、
前記電池切れ予測手順で予測した前記電池切れ時刻前に、前記通信端末が電源をオフし、通信不能となることを通知する通信不能通知を特定の第三者に送信する情報発信手順と、
前記電池切れ予測手順で予測した前記電池切れ時刻前に、前記電池の残量が低下した要因と通信再開される通信再開時刻の少なくとも一方が含まれるユーザに関するユーザ情報を前記通信端末から収集し解析する情報解析手順と、
をサーバに実行させるサーバの動作プログラム。
【発明の詳細な説明】
【技術分野】
【０００１】
本発明は、電池で駆動する通信端末に関する。
【背景技術】
【０００２】
携帯電話機のような通信端末には様々なデバイスや機能が搭載され、マルチメディア関連機能など電力消費が大きい機能が多くなっている。開発メーカなどは、消費電力を抑えるために、様々な制御を行っているが、市場では電池の持ちに対する不満が確実に存在しており、いざという時に電池がなくなり利用できないという事態が発生しうる。例えば、近年搭載され始めた緊急地震速報受信機能などは、その瞬間に受信する情報に意味があり、電池が切れて情報を取得できないという状態は利用者にとっても好ましくない。また、特許文献１の携帯電話機には緊急通報機能が搭載されているが、電池が切れて情報を送信できないという状態も好ましくない。
【０００３】
そこで、電池残量に応じて機能制限を行う機能を搭載する携帯電話機も知られている（例えば、特許文献３、５、及び６を参照。）。特許文献３の携帯電話機は、電池容量モニタ部がモニタした電池容量に基づいて、残使用時間算出部が残使用時間を算出する。また、充電可能時間算出部は、電池容量が所定値以下となった場合、ＧＰＳ（Ｇｌｏｂａｌ  Ｐｏｓｉｔｉｏｎｉｎｇ  Ｓｙｓｔｅｍ）測位部は情報通信装置の位置を特定する。そして、特定された情報通信装置の位置に基づいて、充電可能時間算出部は電池に対する充電を可能とするまでの充電可能時間を算出する。機能制限処理部は、残使用時間と充電可能時間とを比較し、この比較の結果に基づいて情報通信装置の機能を、機能データベースに記憶されている情報にしたがって制限することができる。
【０００４】
特許文献５の携帯端末装置は、基地局との通信を行う第１通信部と、所定の携帯通信機器と近距離通信を行う第２通信部と、各種機能の動作を行う制御部と、を備え、制御部は、電源ＯＦＦ動作が検出された場合に、第２通信部と所定の携帯通信機器との間で通信が可能な状況では、第１通信部を介して所定の連絡先への通信を行い、第２通信部における所定の携帯通信機器との通信が不可能な状態では電源ＯＦＦ動作を実行する。これにより該携帯端末装置は、携帯端末装置と携帯通信機器との通信状況に応じてユーザがおかれた状況を推定可能とし、その状況によっては携帯端末装置の機能を制限し、あるいは他の通信装置への通知を可能にする。
【０００５】
特許文献６の複合端末装置は、所定の基地局との間で無線電話機能のための無線通信を行う無線通信手段と、上記無線通信手段で送信するデータ及び受信したデータの処理を行う第１のデータ処理手段と、上記無線通信の処理以外の所定の機能を実行する第２のデータ処理手段と、上記動作モードを設定する操作手段と、上記操作手段により電話機能停止モードが設定されたとき、上記無線通信手段での無線通信機能をオフ状態とする制御を行い、上記第２のデータ処理手段での所定の機能の実行については規制させない制御を行う制御手段とを備える。これにより、該複合端末装置は、電池残量低下時に、緊急通報以外の機能制限をし、ＧＰＳを利用して測定された位置情報を緊急通報受付センターに知らせることができる。
【０００６】
また、特許文献２には、電池切れにより電源オフになる前にユーザが指定する相手に対して、電池切れになり通信ができなくなることを通知する携帯端末が記載される。この携帯端末は、制御部が、電圧監視部の測定する電池パックの電圧が電池切れの目安となるαＶ以下になっているかを確認し、αＶ以下になっていればＡメモリエリアに登録されているメールアドレス宛にＢメモリエリアの内容（電池切れにより通信できないこと）を通知する。
【０００７】
さらに、特許文献５には、バッテリ消耗時に緊急使用を確保可能とする携帯電話機が記載される。この携帯電話機は、装置電源ＯＦＦ状態の電圧よりも高い疑似装置電源ＯＦＦ状態の電圧を検出するバッテリの電圧検出部と、携帯電話機の限定機能とキー操作で限定機能を実行する特定キー操作とを対にして複数対の保存を行う限定機能情報保持部と、疑似装置電源ＯＦＦ状態の電圧を検出された場合バッテリからの電源供給を省電力状態にし限定機能の実行を可能とする疑似電源ＯＦＦ状態にする疑似装置電源ＯＦＦ状態制御部と、携帯電話機が疑似電源ＯＦＦ状態にされている場合携帯電話機の特定キー操作に対して特定キー操作に該当する限定機能を取り出し限定機能を実行する限定機能制御部とを備える。
【先行技術文献】
【特許文献】
【０００８】
【特許文献１】特開２００４−０４０７３３号公報
【特許文献２】特開２００５−０１８２００号公報
【特許文献３】特開２００８−２３６６８０号公報
【特許文献４】特開２００８−２７０９２９号公報
【特許文献５】特開２００９−０１７３７９号公報
【特許文献６】特開２００９−０７１８５６号公報
【発明の概要】
【発明が解決しようとする課題】
【０００９】
特許文献４の携帯電話機においては、バッテリ消耗時に緊急使用のみ確保することを目的としているため、第三者は、携帯電話機のユーザとなぜ連絡が取れないのかがわからず不安感が生じるという問題点があった。
【００１０】
特許文献２の携帯端末においては、電池の電圧を基準に電池切れで通信できなくなる旨の通知を行っており、実際の電池切れの時刻が不明のため、第三者は、いつまでなら携帯端末のユーザと連絡が取れるのかがわからず不安感が生じるという問題点があった。
【００１１】
そこで、本発明は、上述した課題である第三者に連絡が取れない理由を通知でき、ユーザとの連絡ができないという不安感を解消できる通信端末を提供することを目的とする。
【課題を解決するための手段】
【００１２】
本発明に係る通信端末は、電池の残量を監視する電池残量監視手段と、前記電池残量監視手段が監視する前記電池の残量から、前記電池のエネルギーを使い切る電池切れ時刻を予測する電池切れ予測手段と、前記電池切れ予測手段が予測した前記電池切れ時刻に電源をオフする電源制御手段と、前記電池切れ予測手段が予測した前記電池切れ時刻前に、前記電源制御手段が電源をオフし、通信不能となることを通知する通信不能通知を特定の第三者に送信する情報発信手段と、を備える。
【００１３】
本発明に係る他の通信端末は、電池の残量を監視する電池残量監視手段と、前記電池残量監視手段が監視する前記電池の残量をサーバに通知する電池残量通知手段と、前記電池残量監視手段が監視する前記電池の残量が規定値より低い場合に電源をオフする電源制御手段と、を備える。
【００１４】
本発明に係るサーバは、通知された通信端末の電池残量から、前記通信端末の前記電池のエネルギーを使い切る電池切れ時刻を予測する電池切れ予測手段と、前記電池切れ予測手段が予測した前記電池切れ時刻前に、前記通信端末が電源をオフし、通信不能となることを通知する通信不能通知を特定の第三者に送信する情報発信手段と、を備える。
【００１５】
本発明に係る通信システムは、サーバと通信する通信端末の電池の残量を監視する電池残量監視手段と、前記電池残量監視手段が監視する前記電池の残量から、前記電池のエネルギーを使い切る電池切れ時刻を予測する電池切れ予測手段と、前記電池切れ予測手段が予測した前記電池切れ時刻に前記通信端末の電源をオフする電源制御手段と、前記電池切れ予測手段が予測した前記電池切れ時刻前に、前記電源制御手段が前記通信端末の電源をオフし、通信不能となることを通知する通信不能通知を特定の第三者に送信する情報発信手段と、を備える。
【００１６】
本発明に係る通信端末の動作方法は、電池の残量を監視する電池残量監視手順と、前記電池残量監視手順で監視する前記電池の残量から、前記電池のエネルギーを使い切る電池切れ時刻を予測する電池切れ予測手順と、前記電池切れ予測手順で予測した前記電池切れ時刻に電源をオフする電源制御手順と、前記電池切れ予測手順で予測した前記電池切れ時刻前に、前記電源制御手順で電源をオフし、通信不能となることを通知する通信不能通知を特定の第三者に送信する情報発信手順と、を行う。
【００１７】
本発明に係る他の通信端末の動作方法は、電池の残量を監視する電池残量監視手順と、前記電池残量監視手順で監視する前記電池の残量をサーバに通知する電池残量通知手順と、前記電池残量監視手順が監視する前記電池の残量が規定値より低い場合に電源をオフする電源制御手順と、を行う。
【００１８】
本発明に係るサーバの動作方法は、通知された通信端末の電池残量から、前記通信端末の前記電池のエネルギーを使い切る電池切れ時刻を予測する電池切れ予測手順と、前記電池切れ予測手順で予測した前記電池切れ時刻前に、前記通信端末が電源をオフし、通信不能となることを通知する通信不能通知を特定の第三者に送信する情報発信手順と、を行う。
【００１９】
本発明に係る通信システムの動作方法は、サーバと通信する通信端末の電池の残量を監視する電池残量監視手順と、前記電池残量監視手順で監視する前記電池の残量から、前記電池のエネルギーを使い切る電池切れ時刻を予測する電池切れ予測手順と、前記電池切れ予測手順で予測した前記電池切れ時刻に前記通信端末の電源をオフする電源制御手順と、前記電池切れ予測手順で予測した前記電池切れ時刻前に、前記電源制御手順で前記通信端末の電源をオフし、通信不能となることを通知する通信不能通知を特定の第三者に送信する情報発信手順と、を行う。
【００２０】
本発明に係る通信端末の動作プログラムは、電池の残量を監視する電池残量監視手順と、前記電池残量監視手順で監視する前記電池の残量から、前記電池のエネルギーを使い切る電池切れ時刻を予測する電池切れ予測手順と、前記電池切れ予測手順で予測した前記電池切れ時刻に電源をオフする電源制御手順と、前記電池切れ予測手順で予測した前記電池切れ時刻前に、前記電源制御手順で電源をオフし、通信不能となることを通知する通信不能通知を特定の第三者に送信する情報発信手順と、を通信端末に実行させる。
【００２１】
本発明に係る他の通信端末の動作プログラムは、電池の残量を監視する電池残量監視手順と、前記電池残量監視手順で監視する前記電池の残量をサーバに通知する電池残量通知手順と、前記電池残量監視手順が監視する前記電池の残量が規定値より低い場合に電源をオフする電源制御手順と、を通信端末に実行させる。
【００２２】
本発明に係るサーバの動作プログラムは、通知された通信端末の電池残量から、前記通信端末の前記電池のエネルギーを使い切る電池切れ時刻を予測する電池切れ予測手順と、前記電池切れ予測手順で予測した前記電池切れ時刻前に、前記通信端末が電源をオフし、通信不能となることを通知する通信不能通知を特定の第三者に送信する情報発信手順と、をサーバに実行させる。
【発明の効果】
【００２３】
本発明は、第三者に連絡が取れない理由を通知でき、ユーザとの連絡ができないという不安感を解消できる通信端末を提供することができる。
【図面の簡単な説明】
【００２４】
【図１】本発明に係る通信端末を説明するブロック図である。
【図２】本発明に係る通信端末の動作方法を説明するフローチャートである。
【図３】本発明に係る通信端末を説明するブロック図である。
【図４】本発明に係る通信端末の動作方法を説明するフローチャートである。
【図５】本発明に係る通信システムを説明するブロック図である。
【図６】本発明に係る通信システムの動作方法を説明するフローチャートである。
【図７】本発明に係る通信端末の動作方法を説明するフローチャートである。
【図８】本発明に係るサーバの動作方法を説明するフローチャートである。
【図９】本発明に係る通信システムを説明するブロック図である。
【図１０】本発明に係る通信端末の動作方法を説明するフローチャートである。
【図１１】本発明に係るサーバの動作方法を説明するフローチャートである。
【図１２】本発明に係る通信端末の構成の要部を表したものである。
【図１３】機能制限モードへの移行処理を説明する図である。
【図１４】（ａ）及び（ｂ）は通常時のＵＩの一例である。図１４（ｃ）は機能制限モード時のＵＩの一例である。
【図１５】自動メール発信を説明するフローチャートである。
【発明を実施するための形態】
【００２５】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２６】
（実施形態１）
図１は、本実施形態の通信端末１０１を説明するブロック図である。図１の通信端末１０１は、電池の残量を監視する電池残量監視手段１１と、電池残量監視手段１１が監視する前記電池の残量から、前記電池のエネルギーを使い切る電池切れ時刻を予測する電池切れ予測手段１２と、電池切れ予測手段１２が予測した前記電池切れ時刻に電源をオフする電源制御手段１３と、電池切れ予測手段１２が予測した前記電池切れ時刻前に、電源制御手段１３が電源をオフし、通信不能となることを通知する通信不能通知を特定の第三者に送信する情報発信手段１４と、を備える。
【００２７】
図２は、通信端末１０１の動作方法を説明するフローチャートである。通信端末１０１の動作方法は、電池の残量を監視する電池残量監視手順と、電池残量監視手順で監視する前記電池の残量から、前記電池のエネルギーを使い切る電池切れ時刻を予測する電池切れ予測手順と、電池切れ予測手順で予測した前記電池切れ時刻に電源をオフする電源制御手順と、電池切れ予測手順で予測した前記電池切れ時刻前に、電源制御手順１３で電源をオフし、通信不能となることを通知する通信不能通知を特定の第三者に送信する情報発信手順と、を行う。
【００２８】
また、通信端末１０１は、次の動作プログラムで図２の動作方法を行う。通信端末１０１の動作プログラムは、電池の残量を監視する電池残量監視手順と、電池残量監視手順で監視する前記電池の残量から、前記電池のエネルギーを使い切る電池切れ時刻を予測する電池切れ予測手順と、電池切れ予測手順で予測した前記電池切れ時刻に電源をオフする電源制御手順と、電池切れ予測手順で予測した前記電池切れ時刻前に、電源制御手順で電源をオフし、通信不能となることを通知する通信不能通知を特定の第三者に送信する情報発信手順と、を通信端末に実行させるためのプログラムである。
【００２９】
ここで、通信端末１０１は、通信機能を持ち、電池で駆動する電化製品である。例えば、通信端末１０１は、携帯電話機、ＰＨＳ（ｐｅｒｓｏｎａｌ  ｈａｎｄｙｐｈｏｎｅ  ｓｙｓｔｅｍ）、携帯情報端末、家庭用電化製品、又は産業用電化製品である。
【００３０】
電池残量監視手段１１は、電池残量監視手順で通信端末に搭載される電池（不図示）の残量を監視する。具体的には、電池の電圧値、電池からの電流の積算値、あるいは電池が充電されてからの時間を監視し、電池の残量を判断する。図２で電池残量監視手順はステップ２０２である。
【００３１】
電池切れ予測手段１２は、電池切れ予測手順で電池の残量に基づいて電池のエネルギーがなくなる電池切れ時刻を予測する。例えば、電池切れ予測手段１２は、電池の電圧値が一定値以下に下がった時に「電池のエネルギーがなくなる時刻はあと１０分」と判断することができる。図２で電池切れ予測手順はステップ２０３及びステップ２０８である。
【００３２】
電源制御手段１３は、通信端末１０１全体の電源をオン又はオフすることができる。電源制御手段１３は、電源制御手順で電池切れ時刻になったときに自動的に通信端末１０１全体の電源をオフすることができる。図２で電源制御手順はステップ２０９である。
【００３３】
情報発信手段１４は、情報発信手順で電池切れ時刻前に通信端末１０１全体の電源がオフされ、通信ができなくなる旨の通信不能通知を特定の第三者に送信する。図２で情報発信手順はステップ２０８である。特定の第三者は、通信端末１０１のメモリ（不図示）などに登録されている。例えば、特定の第三者は、ユーザの家族や恋人などである。通信不能通知は通信端末１０１が有する電子メール機能を利用してもよいし、事業者が提供するエージェント機能を利用してもよい。
【００３４】
このように、通信端末１０１は、家族や恋人など、予め設定した対象に対して電池残量低下によりまもなく電源が切れる可能性を示唆し、すぐに電子メールなどの返事を書く事ができない旨などを自動で通知することができる。通信端末１０１は、電源オフ前にこのような通信不能通知をすることで、ユーザと連絡がつかない事による第三者の不安感を解消することができる。
【００３５】
（実施形態２）
図３は、本実施形態の通信端末１０２を説明するブロック図である。通信端末１０２と図１の通信端末１０１との違いは、モード切替手段１５及び情報解析手段１６をさらに備えていることである。通信端末１０２は、電池残量監視手段１１が監視する前記電池の残量が設定値より少ない場合、所定の機能のみ動作させる機能制限モードに切り替えるモード切替手段１５、及び電池切れ予測手段１２が予測した前記電池切れ時刻前にユーザに関するユーザ情報を収集し解析する情報解析手段１６をさらに備える。
【００３６】
図４は、通信端末１０２の動作方法を説明するフローチャートである。通信端末１０２の動作方法と図２の通信端末１０１の動作方法との違いは、通信端末１０２の動作方法がモード切替手順及び情報解析手順をさらに行うことである。通信端末１０２の動作方法は、電池残量監視手順で監視する前記電池の残量が設定値より少ない場合、所定の機能のみ動作させる機能制限モードに切り替えるモード切替手順、及び電池切れ予測手順で予測した前記電池切れ時刻前にユーザに関するユーザ情報を収集し解析する情報解析手順をさらに行う。
【００３７】
また、通信端末１０２は、次の動作プログラムで図４の動作方法を行う。すなわち、通信端末１０２の動作プログラムは、通信端末１０１の動作プログラムにモード切替手順及び情報解析手順を行うプログラムが追加されている。通信端末１０２の動作プログラムは、電池残量監視手順で監視する前記電池の残量が設定値より少ない場合、所定の機能のみ動作させる機能制限モードに切り替えるモード切替手順、及び電池切れ予測手順で予測した前記電池切れ時刻前にユーザに関するユーザ情報を収集し解析する情報解析手順を通信端末にさらに実行させるためのプログラムである。
【００３８】
機能制限モードとは、通信端末１０２が有する多くの機能のうち所定の機能のみ動作させ、他の機能を停止させるモードである。モード切替手段１５は、モード切替手順で通信端末１０２を機能制限モードに切り替える。図４でモード切替手順は、ステップ２０５及びステップ２０６である。いずれの機能を停止させるかは予め設定してもよいし、ユーザが改めて設定してもよい。従って、モード切替手段１５は、電池残量が予め定めた値を下回った際に緊急地震速報や通話など緊急時に必要と考えられる機能のみを維持し、他の機能やデバイスを利用不可状態とすることで、電池切れを防ぐとともに、緊急時も極力対応可能な通信端末１０２とすることができる。
【００３９】
また、電池切れ予測手段１２は、モード切替手段１５が機能制限モードに切り替えた場合、機能制限モードでの電池切れ時刻を予測してもよい。
【００４０】
情報解析手段１６は、電池切れ予測手段１２が予測した電池切れ時刻前に情報解析手順でユーザに関するユーザ情報を収集し解析する。図４で情報解析手順は、ステップ２０１及びステップ２０４である。ユーザ情報には、電池の残量が低下した要因が含まれる。通信端末１０２は、ステップ２０１でユーザの利用履歴と電力消費の関係、日常の生活範囲と、日々の充電の状況などの情報を取得し、これらを分析することで電池残量が低下した要因を推測することができる。
【００４１】
また、ユーザ情報には、通信再開される通信再開時刻が含まれる。通信端末１０２は、ステップ２０１で取得した情報を分析することで、充電され通信端末１０２が復旧されるであろう時間を推測することができる。
【００４２】
さらに、ユーザ情報には、電池切れ時刻前のユーザのユーザ位置が含まれる。通信端末１０２は、例えば、ＧＰＳ機能を利用してステップ２０４でユーザの位置情報を取得する。
【００４３】
情報発信手段１４は、ステップ２０８で解析した前記ユーザ情報を付加情報として通信不能通知に含めて送信することができる。情報発信手段１４がこの付加情報を通信不能通知に含めることで、第三者により安心を伝えることができる。なお、ユーザは、通信不能通知に含める付加情報の内容を前記特定の第三者毎に変えるように設定できる。通信端末１０２に予め登録する第三者に、電源が落ちる旨のみ通知、現在の位置情報も通知など、発信する付加情報の内容に差をつけてもよい。
【００４４】
（実施形態３）
図５は、本実施形態の通信システム１７１を説明するブロック図である。通信システム１７１は、通信端末１０３及びサーバ１５１を含む。通信システム１７１は、サーバ１５１と通信する通信端末１０３の電池の残量を監視する電池残量監視手段１１と、電池残量監視手段１１が監視する前記電池の残量から、前記電池のエネルギーを使い切る電池切れ時刻を予測する電池切れ予測手段１２と、電池切れ予測手段１２が予測した前記電池切れ時刻に通信端末１０３の電源をオフする電源制御手段１３と、電池切れ予測手段１２が予測した前記電池切れ時刻前に、電源制御手段１３が通信端末１０３の電源をオフし、通信不能となることを通知する通信不能通知を特定の第三者に送信する情報発信手段１４と、
を備える。
【００４５】
なお、図５では、電池切れ予測手段１２及び情報発信手段１４がサーバ１５１に含まれているが、電池切れ予測手段１２及び情報発信手段１４の少なくとも一方がサーバ１５１に含まれるようにしてもよい。この場合、サーバ１５１に含まれない手段は通信端末１０３に含まれる。
【００４６】
図６は、通信システム１７１の動作方法を説明するフローチャートである。通信システム１７１の動作方法は、サーバ１５１と通信する通信端末１０３の電池の残量を監視する電池残量監視手順と、前記電池残量監視手順で監視する前記電池の残量から、前記電池のエネルギーを使い切る電池切れ時刻を予測する電池切れ予測手順と、前記電池切れ予測手順で予測した前記電池切れ時刻に通信端末１０３の電源をオフする電源制御手順と、前記電池切れ予測手順で予測した前記電池切れ時刻前に、前記電源制御手順で通信端末１０３の電源をオフし、通信不能となることを通知する通信不能通知を特定の第三者に送信する情報発信手順と、を行う。図６で電池残量監視手順はステップ２０２である。図６で電池切れ予測手順及び情報発信手順はステップ２０３及びステップ２０８である。図６で電源制御手順はステップ２０９である。
【００４７】
図５の通信端末１０３は、電池の残量を監視する電池残量監視手段１１と、電池残量監視手段１１が監視する前記電池の残量をサーバ１５１に通知する電池残量通知手段２４と、電池残量監視手段２４が監視する前記電池の残量が規定値より低い場合に電源をオフする電源制御手段１３と、を備える。
【００４８】
図７は、通信端末１０３の動作方法を説明するフローチャートである。通信端末１０３の動作方法は、電池の残量を監視する電池残量監視手順と、前記電池残量監視手順で監視する前記電池の残量をサーバ１５１に通知する電池残量通知手順と、前記電池残量監視手順が監視する前記電池の残量が規定値より低い場合に電源をオフする電源制御手順と、を行う。図７で電池残量監視手順はステップ５０２である。図７で電池残量通知手順はステップ５０１である。図７で電源制御手順はステップ５０９である。
【００４９】
また、通信端末１０３は、次の動作プログラムで図７の動作方法を行う。通信端末１０３の動作プログラムは、電池の残量を監視する電池残量監視手順と、前記電池残量監視手順で監視する前記電池の残量をサーバに通知する電池残量通知手順と、前記電池残量監視手順が監視する前記電池の残量が規定値より低い場合に電源をオフする電源制御手順と、を通信端末に実行させるためのプログラムである。
【００５０】
一方、図５のサーバ１５１は、通知された通信端末の電池残量から、通信端末１０３の前記電池のエネルギーを使い切る電池切れ時刻を予測する電池切れ予測手段１２と、電池切れ予測手段１２が予測した前記電池切れ時刻前に、通信端末１０３が電源をオフし、通信不能となることを通知する通信不能通知を特定の第三者に送信する情報発信手段１４と、を備える。
【００５１】
図８は、サーバ１５１の動作方法を説明するフローチャートである。通信端末１０３の動作方法は、通知された通信端末１０３の電池残量から、通信端末１０３の前記電池のエネルギーを使い切る電池切れ時刻を予測する電池切れ予測手順と、前記電池切れ予測手順で予測した前記電池切れ時刻前に、通信端末１０３が電源をオフし、通信不能となることを通知する通信不能通知を特定の第三者に送信する情報発信手順と、を行う。図８で電池切れ予測手順はステップ６０２である。図８で情報発信手順はステップ６０３である。
【００５２】
また、サーバ１５１は、次の動作プログラムで図８の動作方法を行う。サーバ１５１の動作プログラムは、通知された通信端末１０３の電池残量から、通信端末１０３の前記電池のエネルギーを使い切る電池切れ時刻を予測する電池切れ予測手順と、前記電池切れ予測手順で予測した前記電池切れ時刻前に、通信端末１０３が電源をオフし、通信不能となることを通知する通信不能通知を特定の第三者に送信する情報発信手順と、をサーバ１５１に実行させるためのプログラムである。
【００５３】
通信端末１０３及びサーバ１５１が図７及び図８のように動作することで、通信システム１７１は図６のように動作する。電池切れ予測や情報発信をサーバ１５１で行うことで、通信端末１０３の電池の消耗を抑えることができる。
【００５４】
（実施形態４）
図９は、本実施形態の通信システム１７２を説明するブロック図である。通信システム１７２と図５の通信システム１７１との違いは、通信端末１０３の代替として通信端末１０４を備え、サーバ１５１の代替としてサーバ１５２を備えていることである。通信端末１０４は、図５の通信端末１０３にモード切替手段１５、モード切替通知手段４２、情報通知手段４３、及び電源オフ通知受信手段４１をさらに備える。サーバ１５２は、図５のサーバ１５１に情報解析手段１６及び電源オフ通知送信手段４５をさらに備える。
【００５５】
通信端末１０４の機能について説明する。電源オフ通知受信手段４１は、サーバ１５２から電源オフ可能という旨の電源オフ通知を受信する。このとき、電源制御手段１３は、電源オフ通知受信手段４１が前記電源オフ通知を受信した後に電源をオフする。
【００５６】
モード切替手段１５は、電池残量監視手段１１が監視する前記電池の残量が設定値より少ない場合、所定の機能のみ動作させる機能制限モードに切り替える。モード切替通知手段４２は、前記機能制限モードに切り替えたことをサーバ１５２に通知する。情報通知手段４３は、ユーザに関するユーザ情報を収集し、サーバ１５２に通知する。
【００５７】
続いて、サーバ１５２の機能について説明する。電源オフ通知送信手段４５は、情報発信手段１４が特定の第三者に前記通信不能通知を送信した後に、通信端末１０４に電源オフ可能という旨の電源オフ通知を送信する。また、通信端末１０４の前記電池の残量が設定値より少なく、所定の機能のみ動作させる機能制限モードに切り替えたことを通信端末１０４から通知されたときに、電池切れ予測手段１２は、モード切替手段１５が切り替えた機能制限モードでの前記電池切れ時刻を予測する。情報解析手段１６は、電池切れ予測手段１２が予測した前記電池切れ時刻前に通信端末１０４のユーザに関するユーザ情報を通信端末１０４に収集させ、前記ユーザ情報を解析する。
【００５８】
なお、通信端末１０２で説明したように、ユーザ情報には、電池の残量が低下した要因、通信再開される通信再開時刻、電池切れ時刻前のユーザのユーザ位置が含まれる。
【００５９】
通信システム１７２の動作方法は、通信端末１０４及びサーバ１５２の動作方法で説明できる。図１０は、通信端末１０４の動作方法を説明するフローチャートである。図１１は、サーバ１５２の動作方法を説明するフローチャートである。
【００６０】
通信端末１０４の動作方法と図７の通信端末１０３の動作方法との違いは、通信端末１０４の動作方法が電源オフ通知受信手順、モード切替手順、モード切替通知手順、及び情報通知手順をさらに行うことである。
【００６１】
電源オフ通知受信手順は、サーバ１５２から電源オフ可能という旨の電源オフ通知を受信する。そして、前記電源制御手順において、前記電源オフ通知受信手順で前記電源オフ通知を受信した後に電源をオフする。図１０で電源オフ通知受信手順はステップ５０７である。
【００６２】
モード切替手順は、前記電池残量監視手順で監視する前記電池の残量が設定値より少ない場合、所定の機能のみ動作させる機能制限モードに切り替える。図１０でモード切替手順はステップ５０４及びステップ５０５である。モード切替通知手順は、前記機能制限モードに切り替えたことをサーバ１５２に通知する。図１０でモード切替通知手順はステップ５０６である。
【００６３】
情報通知手順は、前記電源制御手順前に、ユーザに関するユーザ情報を収集し、前記サーバに通知する。図１０で情報通知手順はステップ５０１又はステップ５０６である。
【００６４】
サーバ１５２の動作方法と図８のサーバ１５１の動作方法との違いは、サーバ１５２の動作方法が電源オフ通知送信手順、及び情報解析手順をさらに行うことである。
【００６５】
電源オフ通知送信手順は、前記情報発信手順で特定の第三者に前記通信不能通知を送信した後に、通信端末１０４に電源オフ可能という旨の電源オフ通知を送信する。図１１で電源オフ通知送信手順はステップ６０４である。情報解析手順は、前記電池切れ予測手順で予測した前記電池切れ時刻前に前記通信端末のユーザに関するユーザ情報を前記通信端末に収集させ、前記ユーザ情報を解析する。図１１で情報解析手順はステップ６０１である。
【００６６】
また、通信端末１０４の前記電池の残量が設定値より少なく、所定の機能のみ動作させる機能制限モードに切り替えたことを通信端末１０４から通知されたときに、前記電池切れ予測手順（ステップ６０２）において、前記モード切替手順で切り替えた機能制限モードでの前記電池切れ時刻を予測する。
【００６７】
なお、前記情報発信手順において、前記通信不能通知に含める前記付加情報を前記特定の第三者毎に変えて送信することは、実施形態２での説明と同様である。
【００６８】
（実施形態５）
通信端末（１０１〜１０４）が携帯電話機の場合について、より詳細に説明する。図１２は本実施形態の携帯電話機１０５の構成の要部を表したものである。本実施例の携帯電話機１０５は、ＣＰＵ（中央処理装置）７２を搭載しており、ＣＰＵ７２はバス７３を介して装置内の各部と接続されている。このうちＲＯＭ７４は、ＣＰＵ７２が実行するための各種の制御用プログラムなどの固定的なデータを格納したリード・オンリ・メモリである。作業用メモリ７５はＲＡＭ（ランダム・アクセス・メモリ）によって構成されており、ＣＰＵ７２がプログラムを実行する上で一時的に必要とされるデータを格納するようになっている。
【００６９】
表示制御部７８は制御回路である。表示部７９は、装置本体に配置されており、液晶パネルや有機ＥＬ（電子蛍光）等の表示装置である。また、ＦＵＥＬ  ＧＡＵＧＥ  ＩＣ８０は充電池８１と接続されており、電池残量計測が可能なバッテリ管理用のＩＣである。
【００７０】
ＧＰＳ７６は位置情報を計測する装置であり、現在、携帯電話機１０５が存在する場所を計測することができる。これは、実施例の一例であり、場合によって、加速度、地磁気、温度などを計測可能な各種センサを具備して利用しても良い。
【００７１】
電池残量が低下し、必要最低限の機能（緊急通報、電話）以外を停止させる機能停止と、メールの自動発信までの一連の様子を図４を利用して説明する。まず、ステップ２０１で定期的にＧＰＳ７６から位置状況を取得し、そのデータをＲＯＭ７４へ保存する。
【００７２】
次に、ステップ２０２で電池残量の監視を行う。この監視は継続的に行われるが、電池残量が予め設定した値（以下規定値と表現）を下回った場合、または、予め設定された時間を経過した場合、ステップ２０３へ移行する。ステップ２０３で電池残量が規定値を下回っていない場合は、ステップ２０１へ戻る。２０３で電池残量が規定値未満だった場合は、ステップ２０４へ移行する。ステップ２０４で各種センサからの最新の情報を取得し、ＲＯＭ７４へ保存し、ステップ２０５へ移る。ステップ２０５で、機能制限モードへ移行するための設定がＯＮになっている場合、ステップ２０６機能制限モードへの移行処理を行いステップ２０７へ移る。
【００７３】
ステップ２０５で、機能制限モードがＯＦＦであれば、制限モードへの移行処理は行わず、ステップ２０７へ移行する。ステップ２０７では電池残量が少ない際のメール発信を行う設定がＯＮになっているか判別し、ＯＮの場合はステップ２０１及びステップ２０４で計測された情報を元に電池切れ時間を予測して、電池切れメールを発信するためのステップ２０８を実行する。一連の処理を終了した後、携帯電話機１０５の電源をオフする（ステップ２０９）。
【００７４】
次に、ステップ２０６における機能制限モードへの移行処理を説明する。図１３は、機能制限モードへの移行処理を説明する図である。機能制限モードへ移行するために、まず現在起動しているアプリケーションを終了する。この際、起動アプリケーションを終了する旨を表示し（ステップ３０１）、必要に応じて、その時点でのアプリケーションデータなどの保存処理を行うか否かを選択する（ステップ３０２）。アプリケーションデータを保存する場合は、ステップ３０３でＲＯＭ７４に保存し、アプリケーションを終了する（ステップ３０４）。アプリケーションデータを保存しない場合、直接アプリケーションを終了する（ステップ３０４）。
【００７５】
アプリケーションを終了した後、機能制限モードで必要のないバックグラウンドで動作若しくは待機状態となっている機能やＧＰＳなどの各種デバイスを停止し、電力消費を抑える（ステップ３０５）。ただし、機能制限モード起動中に、最新の各種デバイス情報などが必要な（例えば、地震災害時、外部へ位置情報を発信する必要性が生じる）場合は、一時的にデバイスを利用できる仕組みは残しておいても良い。これらの作業が終了したら、機能制限モード用のＵＩ（ユーザインタフェース）を起動し処理を終える（ステップ３０６）。機能制限モード用のＵＩは不必要なアプリケーションへの利用者のアクセスが出来ないよう、必要最小限にとどめる。グラフィカルな画面は電力消費が大きいため、文字ベースの簡易的な操作画面が望ましい。図１４（ａ）及び（ｂ）は通常時のＵＩの一例である。図１４（ｃ）は機能制限モード時のＵＩの一例である。
【００７６】
図１５は、ステップ２０８の自動メール発信を説明するフローチャートである。まず、予め計測していた情報から、発信メールに必要な情報を求めるための解析を行う（ステップ４０１）。情報の解析例として、例えば、電池残量の時間変動とそれぞれのタイミングで利用していたアプリケーションの情報、位置情報の時系列変化を含めた日々の利用状況から電池切れ時刻を予測する（ステップ４０２）。また、充電を行うタイミングから、携帯電話機１０５が充電されて復旧する予定時間の予測を解析してもよい。
【００７７】
電池残量をトリガとした自動発信メールは、予め、メールの発信先と各発信先に対する開示情報範囲を予め設定しておく必要があり、この予め設定された発信先と開示情報に応じて、ここでの解析内容は変更される。
【００７８】
解析により得られた情報を元に、予め設定された発信先、各々に対して、開示情報範囲を含めてメールの内容を自動生成する（ステップ４０３）。これは、予め保存したフォーマットを用いて生成すればよい。
【００７９】
メールの発信は予め発信先をグループとしてまとめてある場合を除き、基本的に個別に作成して、発信処理を行う事で、プライバシーに配慮する。これら一連の作業は、バックグラウンドで実施され、ユーザは意識する必要はないが、処理が完了した際は処理を行った旨を表示部７９へ表示する（ステップ４０４）。また、機能制限モードを起動している場合は、メールを発信した後、関連するステップは速やかに終了させる。
【００８０】
機能制限モードの設定をオンとしているときは、機能制限モードへ移行する際の電池残量を０％として表示することで、ユーザはモードが移行するまでの電池残量を把握することができる。
【００８１】
携帯電話機１０５は、電池残量低下時に機能制限を行うことで、緊急時の対応が可能となる。家族、恋人など、よく連絡を取り合う人を予め自動メール送信設定することで、電池切れにより、メール等が返信できない可能性がある旨を自動発信することができる。また、普段の行動記録などを携帯電話機１０５に情報として登録してある場合、充電タイミングから、どの程度の時間連絡ができないかを付加情報として提供することも可能である。
【００８２】
（実施形態６）
携帯電話機内部に、ＧＰＳなどの各種センサ計測データを蓄積せず、消費電力等を考慮して、特定のサーバ上にデータを蓄積する仕組みを用意しても良い。この際、携帯電話機よりサーバのほうが、消費電力、演算能力、保存容量を安価、大量に確保できる事を考慮し、携帯電話機側で取得した使用アプリケーションの利用時間、携帯情報端末への負荷のかかり方などを定期的にサーバへ蓄積して、より詳細な分析を行っても良い。外部サーバを利用する場合、メールの自動発信ステップなども外部サーバに任せる事で、携帯電話機での消費電力を節約することができる。
【００８３】
また、サーバへ情報を蓄積する事で、機能制限モードへ移行した際に、特定の相手からメールを受信した際に、随時、サーバ側で自動的に状況報告などを行う仕組みを具備しても良い。また、シンクライアントを利用した携帯情報端末の場合、機能制限モード時に、上記動作をサーバのシンクライアント側が自動的に行う仕組みとしても良い。
【００８４】
携帯電話機の情報を外部サーバで処理する通信システムの動作を図１０及び図１１を利用して説明する。携帯電話機はステップ５０１で電池残量や位置情報などの各センサ情報を計測し、外部サーバへ送信する。携帯電話機はステップ５０２で電池残量を監視し、規定値を下回っていない場合（ステップ５０３）、ステップ５０１をさらに行う。一方、電池残量が規定値を下回っている場合（ステップ５０３）、機能制限モードを利用することになっているか否かを確認する（ステップ５０４）。機能制限モードを利用することになっている場合、機能制限モードへ移行する（ステップ５０５）。機能制限モードへ移行後、あるいは機能制限モードを利用しない場合、携帯電話機はステップ５０６を行う。ステップ５０６では、機能制限モードを利用したか否か、及び最新の各センサ情報を外部サーバへ送信する。メール自動発信機能がオンの場合、携帯電話機は、外部サーバからのメール自動発信の処理が完了したことの通知（電源オフ可能通知）を受け、その旨を表示部に表示する（ステップ５０７）。その後、携帯電話機は電源をオフする（ステップ５０９）。
【００８５】
外部サーバは、携帯電話機からの電池残量を含む各センサ情報を受信し、保管する（ステップ６０１）。外部サーバは、これらの各センサ情報から電池切れ時刻を予測する（ステップ６０２）。そして、携帯電話機で電池残量が規定値を下回っている場合、外部サーバは、予め設定されているメール発信先情報毎にメール内容を自動発生し、各メール送信先にメールを発信する（ステップ６０３）。メール終了後、外部サーバは、携帯電話機にメール自動発信の処理が完了したことの通知（電源オフ可能通知）を行う（ステップ６０４）。
【００８６】
以上、電池残量が低下した際の機能制限時に自動状況報告発信する際、メール機能を利用する前提で記載したが、メールの代わりとして、事業者が提供するエージェント機能を通して各種情報の通知を可能にしても良い。
【００８７】
また、一度電池切れで電源が落ちた場合、電池切れ前にメールを予め自動メールを発信した相手に対して使用可能状態になった旨を再通知する仕組みを設定しても良い。充電器を接続したり、予備バッテリと交換あるいは、バッテリ増設などを行い、電池の残量状況が改善された場合、通常利用できるようになった旨を通知可能にしても良い。
【００８８】
このような通信システムは、緊急時に携帯電話機において必要最低限の機能が利用可能な時間を延ばすことができる。さらに、登録した相手に対して、機能制限時も優先的に状況を通知することができる。また、電池切れにより、メールが返信できない旨を自動発信する事で、相手の不安感を和らげることができる。
【符号の説明】
【００８９】
１１：電池残量監視手段
１２：電池切れ予測手段
１３：電源制御手段
１４：情報発信手段
１５：モード切替手段
１６：情報解析手段
２４：電池残量通知手段
４１：電源オフ通知受信手段
４２：モード切替通知手段
４３：情報通知手段
４５：電源オフ通知送信手段
７２：ＣＰＵ
７３：バス
７４：ＲＯＭ
７５：作業用メモリ
７６：ＧＰＳ
７７：キー入力部
７８：表示制御部
７９：表示部
８０：ＦＵＥＬ  ＧＡＵＧＥ  ＩＣ（バッテリ管理用のＩＣ）
８１：充電池
１０１〜１０４：通信端末
１０５：携帯電話機
１５１、１５２：サーバ
１７１、１７２：通信システム
【図１】
0005397139.tif 000002
【図２】
0005397139.tif 000003
【図３】
0005397139.tif 000004
【図４】
0005397139.tif 000005
【図５】
0005397139.tif 000006
【図６】
0005397139.tif 000007
【図７】
0005397139.tif 000008
【図８】
0005397139.tif 000009
【図９】
0005397139.tif 000010
【図１０】
0005397139.tif 000011
【図１１】
0005397139.tif 000012
【図１２】
0005397139.tif 000013
【図１３】
0005397139.tif 000014
【図１４】
0005397139.tif 000015
【図１５】
0005397139.tif 000016